(57)【要約】【課題】衣類から脱離した汚れの再付着を抑えて洗濯後の衣類の黒ずみを低減する。【解決手段】水受け槽２内に回転可能に設けた回転ドラム３と、回転ドラム３を回転駆動する駆動手段７と、水受け槽２内に洗濯水を給水する給水手段８と、水受け槽２内の洗濯水を排水する排水手段１１と、水受け槽２に貯留可能な水位を超えた水を排出するオーバーフロー穴１６と、水受け槽２内の水位を検知する水位検知手段１８と、洗い、すすぎ、脱水等の各工程を制御する制御手段２０とを備え、黒ずみ抑制コースが設定されると、洗い工程において、標準コースにおける所定の洗い時間より短く、かつ、所定の洗い時間の半分以上の洗い時間で水受け槽２内の洗濯水を排水し、その後、新しい洗濯水をオーバーフロー穴１６まで給水して撹拌、排水する工程を少なくとも２回以上繰り返すようにしたものである。【選択図】図１
2015156993.tif 000002
【特許請求の範囲】
【請求項１】
水受け槽内に回転可能に設けた回転ドラムと、
前記回転ドラムを回転駆動する駆動手段と、
前記水受け槽内に洗濯水を給水する給水手段と、
前記水受け槽内の洗濯水を排水する排水手段と、
前記水受け槽に貯留可能な水位を超えた水を排出するオーバーフロー穴と、
前記水受け槽内の水位を検知する水位検知手段と、
洗い、すすぎ、脱水等の各工程を制御する制御手段とを備え、
前記制御手段は、
黒ずみ抑制コースが設定されると、洗い工程において、標準コースにおける所定の洗い時間より短い洗い時間経過後に前記水受け槽内の洗濯水を排水し、
その後、新しい洗濯水を前記オーバーフロー穴近傍まで給水して撹拌、排水する工程を少なくとも２回以上繰り返すようにした
ドラム式洗濯機。
【請求項２】
前記制御手段は、
洗い工程において、１回目の排水前に遠心力が重力より大きく、かつ、前記回転ドラム内の洗濯水が洗濯物を通して前記水受け槽内へ排出される回転数で前記回転ドラムを回転させるようにした請求項１項記載のドラム式洗濯機。
【請求項３】
前記制御手段は、
洗い工程において、２回目の排水後に脱水を行うようにした
請求項１または２記載のドラム式洗濯機。
【請求項４】
前記制御手段は、
洗い工程において、２回目の排水後の脱水における前記回転ドラムの最高回転数を、すすぎでの中間脱水および最終脱水の最高回転数より低く設定した
請求項３項記載のドラム式洗濯機。
【請求項５】
前記制御手段は、
洗い工程終了後に、中間脱水・給水・攪拌・排水を含めたすすぎ工程を少なくとも１回行うようにした請求項１〜４のいずれか１項に記載のドラム式洗濯機。
【発明の詳細な説明】
【技術分野】
【０００１】
本発明は、衣類等の洗濯を行うドラム式洗濯機に関するものである。
【背景技術】
【０００２】
従来、この種のドラム式洗濯機は、洗浄性能を高めて衣類等の黒ずみを防止する黒ずみ防止コースを設けることが考えられている（例えば、特許文献１、２参照）。
【０００３】
特許文献１に記載された従来のドラム式洗濯機は、黒ずみ防止コースが選択されると、布量検知手段で検知した布量に対応する水位と、水位に対応する標準洗剤量の略２倍の洗剤量を表示することにより、高洗剤濃度で洗浄性能を高めて衣類の黒ずみを防止するようにしたものである。
【０００４】
特許文献２に記載された従来のドラム式洗濯機は、黒ずみ防止コースが選択されると、布量検知後、洗剤を投入して予洗いを行った後、予洗いで使用した洗濯水を排水し、再度洗剤を投入して本洗いを行うことにより、洗浄性能を高めて衣類の黒ずみを防止するようにしたものである。
【０００５】
また、回転ドラムのバッフル内に皮脂成分を吸着する吸着体を設け、洗濯時の水量が少ない場合でも、衣類から洗い出された皮脂成分を吸着体で吸着し、皮脂汚れの再付着による黄ばみや黒ずみを抑えることが考えられている（例えば、特許文献３参照）。
【先行技術文献】
【特許文献】
【０００６】
【特許文献１】特開２０１２−０７５５０５号公報
【特許文献２】特開２０１２−０９０８２９号公報
【特許文献３】特開２０１１−１５２２４７号公報
【発明の概要】
【発明が解決しようとする課題】
【０００７】
しかしながら、前記従来の構成では、洗浄力が高められたことと、洗い工程時の使用水量が少ないことで、洗濯衣類の周囲には衣類から除去された界面活性剤分子も含めた汚れ物質の濃度が高まり、除去した汚れが洗い工程の中で再び衣類に付着する。また、洗濯水の量が少ない場合には、洗い工程後の排水によって汚れ物質が再び衣類に付着し、引き続きドラムを高速で回転させる中間脱水工程において、汚れの種類によっては、衣類の表面に付着した汚れが繊維の奥まで洗濯水とともに入り込むことによって、洗濯終了時においても汚れが衣類に残留し、繰り返し洗濯を行うことで、衣類が黒ずんだり、時間の経過とともに黄ばんだりするという課題があった。また、吸着体を用いた場合は、交換等のメンテナンスが必要で、使い勝手が悪いという問題があった。
【０００８】
本発明は、前記従来の課題を解決するもので、衣類から脱離した汚れの再付着を抑えて洗濯後の衣類の黒ずみを低減したドラム式洗濯機を提供することを目的とする。
【課題を解決するための手段】
【０００９】
前記従来の課題を解決するために、本発明のドラム式洗濯機は、水受け槽内に回転可能に設けた回転ドラムと、前記回転ドラムを回転駆動する駆動手段と、前記水受け槽内に洗濯水を給水する給水手段と、前記水受け槽内の洗濯水を排水する排水手段と、前記水受け槽に貯留可能な水位を超えた水を排出するオーバーフロー穴と、前記水受け槽内の水位を
検知する水位検知手段と、洗い、すすぎ、脱水等の各工程を制御する制御手段とを備え、前記制御手段は、黒ずみ抑制コースが設定されると、洗い工程において、標準コースにおける所定の洗い時間より短い洗い時間経過後に前記水受け槽内の洗濯水を排水し、その後、新しい洗濯水を前記オーバーフロー穴近傍まで給水して撹拌、排水する工程を少なくとも２回以上繰り返すようにした
これによって、汚れを多く含む洗濯水を所定の洗い時間より短い時間で排水し、汚れた洗濯水と衣類との接触時間を短くするとともに、衣類に残留する汚れを水受け槽に貯留可能な最大量の洗濯水に放出させることができ、衣類から脱離した汚れの再付着を抑えて洗濯後の衣類の黒ずみを低減することができる。
【発明の効果】
【００１０】
本発明のドラム式洗濯機は、衣類から脱離した汚れの再付着を抑えて洗濯後の衣類の黒ずみを低減することができる。
【図面の簡単な説明】
【００１１】
【図１】本発明の実施の形態１におけるドラム式洗濯機の概略構成図
【図２】同ドラム式洗濯機のブロック回路図
【図３】同ドラム式洗濯機の洗い工程の動作を示すタイムチャート
【図４】本発明の実施の形態２におけるドラム式洗濯機の洗い工程の動作を示すタイムチャート
【発明を実施するための形態】
【００１２】
第１の発明は、水受け槽内に回転可能に設けた回転ドラムと、前記回転ドラムを回転駆動する駆動手段と、前記水受け槽内に洗濯水を給水する給水手段と、前記水受け槽内の洗濯水を排水する排水手段と、前記水受け槽に貯留可能な水位を超えた水を排出するオーバーフロー穴と、前記水受け槽内の水位を検知する水位検知手段と、洗い、すすぎ、脱水等の各工程を制御する制御手段とを備え、前記制御手段は、黒ずみ抑制コースが設定されると、洗い工程において、標準コースにおける所定の洗い時間より短い洗い時間経過後に前記水受け槽内の洗濯水を排水し、その後、新しい洗濯水を前記オーバーフロー穴近傍まで給水して撹拌、排水する工程を少なくとも２回以上繰り返すようにしたことにより、汚れを多く含む洗濯水を所定の洗い時間より短い時間で排水し、汚れた洗濯水と衣類との接触時間を短くするとともに、衣類に残留する汚れを水受け槽に貯留可能な最大量の洗濯水に放出させることができ、衣類から脱離した汚れの再付着を抑えて洗濯後の衣類の黒ずみを低減することができる。
【００１３】
第２の発明は、特に、第１の発明において、前記制御手段は、洗い工程において、１回目の排水前に遠心力が重力より大きく、かつ、前記回転ドラム内の洗濯水が洗濯物を通して前記水受け槽内へ排出される回転数で前記回転ドラムを回転させるようにしたことにより、第１の発明の効果に加え、衣類の汚れを効果的に除去して、黒ずみ低減効果を高めることができる。
【００１４】
第３の発明は、特に、第１または第２の発明において、前記制御手段は、洗い工程において、２回目の排水後に脱水を行うようにしたことにより、第１の発明の効果に加え、衣類に残留する汚れを効果的に除去することができ、黒ずみ低減効果を高めることができる。
【００１５】
第４の発明は、特に、第３の発明において、前記制御手段は、洗い工程において、２回目の排水後の脱水における前記回転ドラムの最高回転数を、すすぎでの中間脱水および最終脱水の最高回転数より低く設定したことにより、第１の発明の効果に加え、消費電力の低減と洗濯時間の短縮を図ることができる。
【００１６】
第５の発明は、特に、第１〜第４のいずれかの発明において、前記制御手段は、洗い工程終了後に、中間脱水・給水・攪拌・排水を含めたすすぎ工程を少なくとも１回行うようにしたことにより、第１〜第３のいずれかの発明の効果に加え、すすぎ時にも衣類の汚れを効果的に除去して、黒ずみ低減効果を高めることができ、洗い時にすすぎ効果を奏しているのですすぎ回数を減らしても十分に衣類の洗剤成分をすすぐことができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態におけるドラム式洗濯機の概略構成図、図２は、同ドラム式洗濯機のブロック回路図、図３は、同ドラム式洗濯機の洗い工程の動作を示すタイムチャートである。
【００１９】
図１〜図３において、筐体１内にダンパ（図示せず）等で弾性支持した水受け槽２が設けられている。水受け槽２内には有底円筒状の回転ドラム３が回転可能に設けられ、その回転軸３ａは略水平で前後方向に設けられている。
【００２０】
回転ドラム３の内周壁面には、回転軸３ａ方向である回転ドラム３の回転中心に向かって内方へ突出させた複数のバッフル４と、水受け槽２内と連通する多数の小孔５が設けられ、前面側には衣類等の洗濯物（以下、衣類という）を出し入れする開口部６が設けられている。
【００２１】
水受け槽２の後面に回転ドラム３を回転駆動するモータ（駆動手段）７が取り付けられている。モータ７はブラシレス直流モータで構成され、インバータ制御によって回転速度が自在に変化させることができるようになっている。
【００２２】
水受け槽２の上方には、水受け槽２内に洗濯水を給水する給水弁（給水手段）８が設けられている。給水弁８は水道等に接続された給水配管９に設けられている。給水された洗濯水は、給水弁８の下流に設けられた洗剤収納部（図示せず）を通って水受け槽２内に供給され、水受け槽２内の底部に貯留されるとともに、小孔５から回転ドラム３内に流入する。
【００２３】
水受け槽２の後部側の最低部に取水口１０が設けられている。取水口１０は、水受け槽２内の洗濯水を排水する排水弁（排水手段）１１を介して排水管１２につながっており、水受け槽２内の洗濯水は、排水弁１１を通り排水管１２を経て機外へ排出するようにしている。
【００２４】
取水口１０と排水弁１１の間からは、取水口１０から取り込んだ水受け槽２内の洗濯水を、回転ドラム３の前面側に設けた開口部６から回転ドラム３内に吐出する吐出口１３につながった循環経路１４を連通接続している。循環経路１４は、水受け槽２の下方で前後方向に配設している。
【００２５】
循環経路１４に設けた循環ポンプ１５の駆動により、水受け槽２内の洗濯水は循環経路１４を通り、回転ドラム３内に向けて循環シャワーとして吐出され、回転ドラム３内の衣類に洗濯水をかけることができる。
【００２６】
水受け槽２の後部に貯留可能な水位を超えた水を排出するオーバーフロー穴１６を設け、このオーバーフロー穴１６と排水管１２をオーバーフロー経路１７で連通接続している
。オーバーフロー穴１６は、水受け槽２の最低部から所定の高さの位置に設けられ、かつドラム式洗濯機の定格最大衣類容量（たとえば１０ｋｇ）に対応した水位よりも高い位置に設けられており、オーバーフロー穴１６より高い水位の洗濯水は、オーバーフロー穴１６からオーバーフロー経路１７に入り、排水管１２を介して機外へ排出される。水位検知手段１８は、水受け槽２内に給水された洗濯水の水位を検知する。なお、オーバーフロー穴１６はドラム式洗濯機の定格最大衣類容量（たとえば１０ｋｇ）に対応した水位よりも高い位置であれば、水受け槽２の前部に設けられてもよい。
【００２７】
制御装置１９は、マイクロコンピュータで構成された制御手段２０を有し、パワースイッチング手段２１を介してモータ７、給水弁８、排水弁１１、循環ポンプ１５等の動作を制御し、洗い、すすぎ、脱水等の一連の工程を逐次制御する。
【００２８】
入力設定手段２２は、運転コース等を設定するもので、制御手段２０は入力設定手段２２からの情報を入力して、その情報を基に表示手段２３に表示して使用者に知らせる。記憶手段２４は、制御手段２０により制御するために必要なデータを記憶している。
【００２９】
回転数検知手段２５は回転ドラム３の回転数を検知する。制御手段２０は、回転数検知手段２５の情報から、パワースイッチング手段２１を介して回転ドラム３の回転数を制御する。２６は商用電源、２７は電源スイッチである。
【００３０】
なお、筐体１の前面に設けた開閉自在な扉２８を開くことにより、回転ドラム３の前面側に設けた開口部６から衣類を出し入れすることができる。
【００３１】
以上のように構成されたドラム式洗濯機について、以下その動作、作用を説明する。洗濯は、洗い工程、中間脱水工程、すすぎ工程１、すすぎ工程２、最終脱水工程の順に逐次実行される。
【００３２】
まず、筐体１の前面側に開閉自在に設けた扉２８を開いて開口部６から回転ドラム３内に衣類を投入し、電源スイッチ２７をオンすると、入力設定手段２２によって洗濯のコース等が入力できるようになる。洗濯のコースは、洗濯機側で衣類の量等に応じて自動的に洗い・すすぎ・脱水の各工程の時間や水位を設定するコースであって、なおかつ特別な洗濯方法を要しない標準的な洗濯をする場合に使用者が選ぶ「標準コース」を含めて目的に応じて複数の洗濯コースが選択可能であり、表示手段２３に表示される。
【００３３】
衣類から脱離した汚れの再付着を抑えて洗濯後の衣類の黒ずみを抑制するコースのことをここでは「黒ずみ抑制コース」ということにする。「標準コース」や「黒ずみ抑制コース」といったコースの名称については、機能が同等であれば特にどのような名称であってもよいものとする。使用者が「黒ずみ抑制コース」を設定し、スタートボタン（図示せず）を操作して運転を開始すると、洗い工程が開始される。
【００３４】
洗い工程は、最初に回転ドラム３内に投入された衣類の量を布量検知手段２９によって検知する。衣類の量は、回転ドラム３を回転駆動し、回転ドラム３の回転時にモータ７にかかるトルク量や、モータ７の電流値等から検知することができる。
【００３５】
制御手段２０は、布量検知手段２９で検知した衣類の量に応じて予め設定された水量および洗剤量等を決定し、表示手段２３に表示して使用者に知らせ、使用者が洗剤および柔軟剤等を投入する時間を考慮して、所定時間（例えば１分）経過した後に、給水を開始し１回目の洗いを実行する。
【００３６】
給水弁８を通過した水は洗剤収納部（図示せず）を通り、洗剤収納部に投入されている
洗剤とともに水受け槽２に流入して洗濯水が溜められ、水位検知手段１８によって予め設定された所定量（水位Ｌ１）まで給水されたことを検知すると給水弁８を閉じ、洗い時間の計時を開始する。このとき、排水弁１１は閉じられており、回転ドラム３および循環ポンプ１５の駆動を停止している。
【００３７】
給水後、衣類の撹拌を行う。回転ドラム３は、モータ７によって衣類が叩き洗いされる回転数、例えば、５０ｒｐｍでタンブリング動作を行い、所定時間毎に交互に正逆回転する。例えば、「右回転１１秒→停止４秒→左回転１１秒→停止４秒→右回転１１秒」で駆動するとともに、循環ポンプ１５を駆動する。
【００３８】
循環ポンプ１５の駆動により、水受け槽２内の洗濯水は取水口１０から循環経路１４に流入し、回転ドラム３の前面側に設けた吐出口１３から回転ドラム３内の衣類に向けて、洗濯水が循環シャワーとして吐出される。
【００３９】
制御手段２０は、洗い時間（ここでは図３における「撹拌」時間とする）が所定時間Ｔ１を計時すると、回転ドラム３および循環ポンプ１５を停止し、排水弁１１を開いて排水管１２から水受け槽２内の汚れた洗濯水を排水する。
【００４０】
所定時間Ｔ１は、衣類の量に対応した標準コースにおける所定の洗い時間より短く、好ましくは、所定の洗い時間の半分以上の時間であり、例えば、通常の衣類の量に対応した標準コースにおける所定の洗い時間が１０分とした場合、黒ずみ抑制コースにおける所定の洗い時間Ｔ１は、標準コースにおける所定の洗い時間よりも短い時間とし、好ましくは５分以上１０分未満であり、具体的には、例えば７分とする。
【００４１】
１回目の排水が終わると、２回目の洗いを行う。給水弁８を開いて給水を行い、洗剤収納部を通して水受け槽２内に洗濯水を貯留する。このとき、排水弁１１は閉じられており、回転ドラム３および循環ポンプ１５の駆動を停止している。
【００４２】
洗剤収納部には洗剤がなく水のみが給水されるため、水受け槽２内の洗剤濃度は薄くなっていく。水位検知手段１８によってオーバーフロー穴１６の近傍（水位Ｌ２とする）であって、水位Ｌ１より高い水位まで給水されたことを検知すると給水弁８を閉じる。
【００４３】
給水後、衣類の撹拌を行う。回転ドラム３は、モータ７によって衣類が叩き洗いされる回転数、例えば、５０ｒｐｍでタンブリング動作を行い、所定時間毎に交互に正逆回転する。例えば、「右回転１１秒→停止４秒→左回転１１秒→停止４秒→右回転１１秒」で駆動するとともに、循環ポンプ１５を駆動する。
【００４４】
制御手段２０は、洗い時間（撹拌時間）が所定時間Ｔ２（例えば３分）を計時すると、回転ドラム３および循環ポンプ１５を停止し、排水弁１１を開いて２回目の排水を行い、排水管１２から水受け槽２内の洗濯水を排水する。
【００４５】
２回目の排水が終わると、洗い工程での簡単な脱水（ここでは軽脱水と称することとする）を行う。軽脱水は、回転ドラム３を回転させ、バランスコントロールを経て例えば３００ｒｐｍまで回転ドラム３の回転数を上昇させて回転ドラム３を停止させる。この軽脱水により、衣類に残存している黒ずみの要因となる汚れを含む洗濯水は機外へ排出される。
【００４６】
軽脱水が終わると、３回目の洗いを行う。給水弁８を開いて給水を行い、洗剤収納部を通して水受け槽２内に洗濯水を貯留する。このとき、排水弁１１は閉じられており、回転ドラム３および循環ポンプ１５の駆動を停止している。
【００４７】
洗剤収納部には洗剤がなく水のみが給水されるため、水受け槽２内の洗剤濃度は薄くなっていく。水位検知手段１８によってオーバーフロー穴１６の近傍（水位Ｌ２）まで給水されたことを検知すると給水弁８を閉じる。
【００４８】
給水後、衣類の撹拌を行う。回転ドラム３は、モータ７によって衣類が叩き洗いされる回転数、例えば、５０ｒｐｍでタンブリング動作を行い、所定時間毎に交互に正逆回転する。例えば、「右回転１１秒→停止４秒→左回転１１秒→停止４秒→右回転１１秒」で駆動するとともに、循環ポンプ１５を駆動する。
【００４９】
制御手段２０は、洗い時間（撹拌時間）が所定時間Ｔ３（例えば６分）を計時すると、回転ドラム３および循環ポンプ１５を停止し、排水弁１１を開いて３回目の排水を行い、排水管１２から水受け槽２内の洗濯水を排水して洗い工程を終了する。
【００５０】
洗い工程に続いてすすぎ工程が実行される。すすぎ工程が２回設定されている場合、１回目のすすぎの中間脱水１が開始され、回転ドラム３を回転させ、バランスコントロールを経て所定回転数である９００ｒｐｍあたりまで回転ドラム３の回転数を上昇させ、所定時間後に停止する。この中間脱水１により、衣類に残存している洗濯水は機外へ排出され、衣類に含まれる洗濯水は少なくなる。
【００５１】
中間脱水１に続いて給水弁８を開いて給水を行い、洗剤収納部を通して水受け槽２内に洗濯水を貯留する。水位検知手段１８によって所定の水位（Ｌ１）まで給水されたことを検知すると給水弁８を閉じる。
【００５２】
回転ドラム３は、モータ７によって衣類が叩き洗いされる回転数、例えば、５０ｒｐｍでタンブリング動作を行い、所定時間毎に交互に正逆回転駆動することで衣類を攪拌するとともに、循環ポンプ１５を駆動し、回転ドラム３内に洗濯水を循環シャワーとして吐出する。所定のすすぎ時間が経過すると、排水弁１１を開いて水受け槽２内のすすぎに使用された洗濯水を排水する。
【００５３】
排水が終わると、２回目のすすぎの中間脱水２が開始され、回転ドラム３を回転させ、バランスコントロールを経て所定回転数である９００ｒｐｍあたりまで回転ドラム３の回転数を上昇させ、所定時間後に停止する。この中間脱水２により、衣類に残存している洗濯水は機外へ排出され、衣類に含まれる洗濯水は少なくなる。
【００５４】
中間脱水２に続いて２回目のすすぎが実行される。給水弁８を開いて給水を行い、１回目のすすぎと同様に洗剤収納部を通って水受け槽２内に洗濯水を貯留する。このとき、洗剤収納部に投入されている柔軟剤は、給水された洗濯水とともに水受け槽２内に流し込まれる。
【００５５】
回転ドラム３は、モータ７によって衣類が叩き洗いされる回転数、例えば、５０ｒｐｍでタンブリング動作を行い、所定時間毎に交互に正逆回転駆動するとともに、循環ポンプ１５を駆動し、回転ドラム３内に洗濯水を循環シャワーとして吐出する。２回目の所定のすすぎ時間が経過すると、排水弁１１を開いて水受け槽２内のすすぎに使用された洗濯水を排水する。なお中間脱水、攪拌、排水を含めたすすぎ工程は少なくとも１回実施されればよいものとする。
【００５６】
すすぎ工程に続いて最終脱水工程が実行される。最終脱水工程は、回転ドラム３を回転させ、バランスコントロールを経て所定回転数である９００ｒｐｍあたりまで回転ドラム３の回転数を上昇させ、所定時間後に停止する。この最終脱水工程により、衣類に残存し
ている洗濯水は機外へ排出され、衣類に含まれる洗濯水は少なくなる。回転ドラム３が停止した時点で洗濯が終了する。
【００５７】
これまで「黒ずみ抑制コース」について説明したが、「標準コース」についても説明する。
【００５８】
使用者が「標準コース」を設定し、スタートボタン（図示せず）を操作して運転を開始すると、洗い工程が開始される。
【００５９】
洗い工程は、最初に回転ドラム３内に投入された衣類の量を布量検知手段２９によって検知する。衣類の量は、回転ドラム３を回転駆動し、回転ドラム３の回転時にモータ７にかかるトルク量や、モータ７の電流値等から検知することができる。
【００６０】
制御手段２０は、布量検知手段２９で検知した衣類の量に応じて予め設定された水量および洗剤量等を決定し、表示手段２３に表示して使用者に知らせ、使用者が洗剤および柔軟剤等を投入する時間を考慮して、所定時間（例えば１分）経過した後に、給水を開始し洗いを実行する。
【００６１】
給水弁８を通過した水は洗剤収納部（図示せず）を通り、洗剤収納部に投入されている洗剤とともに水受け槽２に流入して洗濯水が溜められ、水位検知手段１８によって予め設定された所定量（水位Ｌ１）まで給水されたことを検知すると給水弁８を閉じ、洗い時間の計時を開始する。このとき、排水弁１１は閉じられており、回転ドラム３および循環ポンプ１５の駆動を停止している。
【００６２】
給水後、衣類の撹拌を行う。回転ドラム３は、モータ７によって衣類が叩き洗いされる回転数、例えば、５０ｒｐｍでタンブリング動作を行い、所定時間毎に交互に正逆回転する。例えば、「右回転１１秒→停止４秒→左回転１１秒→停止４秒→右回転１１秒」で駆動するとともに、循環ポンプ１５を駆動する。
【００６３】
循環ポンプ１５の駆動により、水受け槽２内の洗濯水は取水口１０から循環経路１４に流入し、回転ドラム３の前面側に設けた吐出口１３から回転ドラム３内の衣類に向けて、洗濯水が循環シャワーとして吐出される。
【００６４】
制御手段２０は、洗い時間が所定時間（図３のＴ１より長い時間）を計時すると、回転ドラム３および循環ポンプ１５を停止し、排水弁１１を開いて排水管１２から水受け槽２内の汚れた洗濯水を排水する。
【００６５】
所定時間Ｔ１は、例えば、通常の衣類の量に対応した標準コースにおける所定の洗い時間（たとえば１０分）が設定される。標準コースにおける所定の洗い時間は、黒ずみ抑制コースにおける所定の洗い時間Ｔ１よりも長い時間とする。
【００６６】
標準コースにおける所定の洗い時間が経過後に、排水を行い、排水管１２から水受け槽２内の洗濯水を排水して洗い工程を終了する。したがって、黒ずみ抑制コースのように、図３で記載している洗い（洗剤無）→軽脱水→洗い（洗剤無）といった工程が標準コースでは存在しない。
【００６７】
洗い工程に続いてすすぎ工程が実行される。すすぎ工程以降、洗濯終了までの工程は、前述した黒ずみ抑制コースと同じである。
【００６８】
以上のように、本実施の形態においては、水受け槽２内に回転可能に設けた回転ドラム
３と、回転ドラム３を回転駆動する駆動手段７と、水受け槽２内に洗濯水を給水する給水手段８と、水受け槽２内の洗濯水を排水する排水手段１１と、水受け槽２に貯留可能な水位を超えた水を排出するオーバーフロー穴１６と、水受け槽２内の水位を検知する水位検知手段１８と、洗い、すすぎ、脱水等の各工程を制御する制御手段２０とを備え、制御手段２０は、黒ずみ抑制コースが設定されると、洗い工程において、標準コースにおける所定の洗い時間より短い洗い時間経過後に水受け槽２内の洗濯水を排水し、その後、新しい洗濯水をオーバーフロー穴１６近傍まで給水して撹拌、排水する工程を少なくとも２回以上繰り返すようにしたものであり、洗剤が投入された洗濯水による最初の洗いにより、汚れを多く含む洗濯水を所定の洗い時間より短い時間で排水し、汚れた洗濯水と衣類との接触時間を短くするとともに、衣類に残留する汚れを水受け槽に貯留可能な最大量の洗濯水に放出させることができ、衣類から脱離した汚れの再付着を抑えて洗濯後の衣類の黒ずみを低減することができる。
【００６９】
また、洗い工程において、２回目の排水後に脱水を行うようにしたものであり、排水だけでは衣類から除去されなかった汚れを排出することができ、洗濯後の衣類の黒ずみ低減効果を高めることができる。
【００７０】
また、洗い工程において、２回目の排水後の脱水における回転ドラム３の最高回転数を、すすぎでの中間脱水および最終脱水の最高回転数より低く設定したものであり、洗濯後の衣類の黒ずみを低減し、消費電力の低減と洗濯時間の短縮を図ることができる。
【００７１】
また、洗い工程終了後に、中間脱水・給水・攪拌・排水を含めたすすぎ工程を少なくとも１回行うようにしたことにより、すすぎ時にも衣類の汚れを効果的に除去して、黒ずみ低減効果を高めることができ、洗い時にすすぎ効果を奏しているのですすぎ回数を減らしても十分に衣類の洗剤成分をすすぐことができる。
【００７２】
（実施の形態２）
図４は、本発明の第２の実施の形態におけるドラム式洗濯機の黒ずみ抑制コースにおける洗い工程の動作を示すタイムチャートである。本実施の形態の特徴は、黒ずみ抑制コースの洗い工程において、１回目の排水前であって、所定時間経過後に遠心力が重力より大きく、かつ、回転ドラム３内の洗濯水が衣類を通して水受け槽２内へ排出される回転数で回転ドラム３を回転させ、その後、標準コースにおける所定の洗い時間より短く、好ましくは、所定の洗い時間の半分以上の洗い時間経過後に水受け槽２内の洗濯水を排水するようにしたものである。他の構成は実施の形態１と同じであり、同一の構成に同一の符号を付して、詳細な説明は実施の形態１のものを援用する。
【００７３】
洗い工程において、投入された衣類の量を布量検知手段２９で検知した後、給水弁８を開き、給水弁８を通過した水は洗剤収納部を通り、洗剤収納部に投入されている洗剤とともに水受け槽２に流入して洗濯水が溜められ、水位検知手段１８によって予め設定された所定量（水位Ｌ１）まで給水されたことを検知すると給水弁８を閉じ、洗い時間の計時を開始する。このとき、排水弁１１を閉じられており、回転ドラム３および循環ポンプ１５の駆動を停止している。
【００７４】
給水後、回転ドラム３は、モータ７によって衣類が叩き洗いされる回転数、例えば、５０ｒｐｍでタンブリング動作を行い、所定時間毎に交互に正逆回転する。例えば、「右回転１１秒→停止４秒→左回転１１秒→停止４秒→右回転１１秒」で駆動するとともに、循環ポンプ１５を駆動する。
【００７５】
循環ポンプ１５の駆動により、水受け槽２内の洗濯水は取水口１０から循環経路１４に流入し、回転ドラム３の前面側に設けた吐出口１３から回転ドラム３内の衣類に向けて、
洗濯水が循環シャワーとして吐出される。
【００７６】
制御手段２０は、洗い時間（撹拌時間）が所定時間Ｔ４（例えば、５分）を計時すると、回転ドラム３の遠心力が重力よりも大きい回転数で回転する遠心力洗浄を開始する。このときの所定時間Ｔ４は、所定時間Ｔ１より短い時間に設定されている。
【００７７】
制御手段２０は、パワースイッチング手段２１を介して回転ドラム３を一定方向に高速回転させ、回転数検知手段２５の出力信号を受けて、回転ドラム３の回転数を制御する。回転ドラム３を高速回転させることで発生する遠心力によって、衣類は回転ドラム３の内周壁面に張り付いた状態となり、衣類が含んでいる水分が絞り出されて回転ドラム３に設けられている多数の小孔５を通過して水受け槽２側へ移動する。
【００７８】
回転ドラム３の回転数は、遠心力によって衣類が含んでいる水分を強制的に離脱可能な１５０ｒｐｍ以上が好ましく、より好ましくは２００ｒｐｍ以上である。回転ドラム３が所定の回転数を超えてから所定時間Ｔ５（例えば、３０秒）が経過すると、回転ドラム３の回転を停止させた後、通常のタンブリング動作に戻り、叩き洗いを行う。例えば、５０ｒｐｍでタンブリング動作を行い、所定時間毎に交互に正逆回転する。例えば、「左回転１１秒→停止４秒→右回転１１秒」で駆動するとともに、循環ポンプ１５を駆動する。
【００７９】
制御手段２０は、洗い時間（撹拌時間）が所定時間Ｔ１を計時すると、回転ドラム３および循環ポンプ１５を停止し、排水弁１１を開いて排水管１２から水受け槽２内の汚れた洗濯水を排水する。以降の動作は、実施の形態１と同じである。
【００８０】
以上のように、本実施の形態においては、洗い工程の開始後、１回目の排水前であって、最初の洗い時間Ｔ１の中で、遠心力が重力より大きく、かつ、回転ドラム３内の洗濯水が洗濯物を通して前記水受け槽内へ排出される回転数で回転ドラム３を回転させる遠心力洗浄を行うようにしたものであり、衣類の汚れを効果的に除去して、黒ずみ低減効果を高めることができる。
【００８１】
なお、水受け槽２および回転ドラム３は水平に配置されたものとしたが、前上がりに傾斜していてもよい。
【００８２】
また、衣類を出し入れする開口部６を筐体１の前面側に設けたものとしたが、上面側に設けてもよい。この場合は、オーバーフロー穴１６を水受け槽２の高い位置に設けることができ、水受け槽２に貯留可能な最大の洗濯水量を多くすることができ、衣類に残留する汚れを多量の洗濯水に効果的に放出させることができる。
【００８３】
なお、洗い、すすぎの各工程における給水および循環シャワーのタイミングは、限定されるものではなく、水受け槽２内に洗濯水を給水する給水時に、回転ドラム３を低速で回転させて衣類を撹拌するようにしてもよく、また、循環ポンプ１５を駆動して洗濯水を回転ドラム３へ吐出するようにしてもよい。また、回転ドラム３の回転数等も限定されるものではない。
【産業上の利用可能性】
【００８４】
以上のように、本発明にかかるドラム式洗濯機は、衣類から脱離した汚れの再付着を抑えて洗濯後の衣類の黒ずみを低減することができるので、ドラム式洗濯機として有用である。
【符号の説明】
【００８５】
２  水受け槽
３  回転ドラム
７  モータ（駆動手段）
８  給水弁（給水手段）
１１  排水弁（排水手段）
１６  オーバーフロー穴
１８  水位検知手段
２０  制御手段
【図１】
2015156993.tif 000003
【図２】
2015156993.tif 000004
【図３】
2015156993.tif 000005
【図４】
2015156993.tif 000006